(57)【要約】  妨害磁界を発生するループアンテナ（３５）を、磁気カード（２１）が挿入される挿入口（２２）付近に設け、挿入口（２２）の前方と後方に妨害磁界を常時作用させることで、挿入口（２２）の前方に取り付けられた不正読取装置による磁気データの不正取得や、磁気ストライプ検出用の磁気ヘッド（３４）に接続されたリード線による磁気データの不正取得を防止する。妨害磁界は磁気ヘッド（３４）にも及ぶが、磁気ストライプ検出前の検出信号のパターンと、磁気ストライプ検出後の検出信号のパターンとが異なることを利用して、磁気カード（２１）の磁気ストライプにおける磁気データの有無を検出することができる。
2013030875.tif 000002
【特許請求の範囲】
【請求項１】
磁気記録媒体が挿入される挿入口と、
前記磁気記録媒体の磁気ストライプを検出するための磁気ヘッドを含む磁気ストライプ検出部と、
前記磁気記録媒体の磁気ストライプに記録されたデータの読み取りを妨げるための妨害磁界を発生する磁界発生部と、
前記磁気ストライプ検出部から出力される検出信号に基づいて、前記磁気ストライプにデータが記録されている磁気記録媒体が挿入されたか否かを判定する判定手段と、を備え、
前記磁界発生部は、前記挿入口付近に設けられていて、常時、前記妨害磁界を前記挿入口の前方と後方に作用させ、
前記判定手段は、前記磁気ヘッドが前記磁気ストライプを検出する前の、前記検出信号の第１パターンと、前記磁気ヘッドが前記磁気ストライプを検出した後の、前記検出信号の第２パターンとを比較し、前記第２パターンが前記第１パターンと異なる場合に、前記磁気ストライプにデータが記録されている磁気記録媒体が挿入されたと判定することを特徴とする磁気記録媒体読取装置。
【請求項２】
請求項１に記載の磁気記録媒体読取装置において、
前記第１パターンは、あらかじめメモリに記憶されており、
前記判定手段は、前記メモリから読み出した前記第１パターンと、前記磁気ストライプ検出部から出力される検出信号の前記第２パターンとを比較することを特徴とする磁気記録媒体読取装置。
【請求項３】
請求項１に記載の磁気記録媒体読取装置において、
前記磁気ヘッドが磁気ストライプを検出する前に、前記挿入口から挿入される磁気記録媒体を検知する検知手段を設け、
前記判定手段は、前記検知手段が前記磁気記録媒体を検知した時点から遡った一定期間における前記第１パターンと、前記磁気ストライプ検出部から出力される検出信号の前記第２パターンとを比較することを特徴とする磁気記録媒体読取装置。
【請求項４】
請求項３に記載の磁気記録媒体読取装置において、
前記一定期間は、前記検知手段が前記磁気記録媒体を検知する直前の期間であることを特徴とする磁気記録媒体読取装置。
【請求項５】
請求項１に記載の磁気記録媒体読取装置において、
前記磁気ヘッドが磁気ストライプを検出する前に、前記挿入口から挿入される磁気記録媒体を検知する検知手段を設け、
前記判定手段は、前記検知手段が前記磁気記録媒体を検知した時点以後の一定期間における前記第１パターンと、前記磁気ストライプ検出部から出力される検出信号の前記第２パターンとを比較することを特徴とする磁気記録媒体読取装置。
【請求項６】
請求項５に記載の磁気記録媒体読取装置において、
前記一定期間は、前記検知手段が前記磁気記録媒体を検知した直後の期間であることを特徴とする磁気記録媒体読取装置。
【請求項７】
請求項１ないし請求項６のいずれかに記載の磁気記録媒体読取装置において、
前記判定手段は、前記磁気ヘッドが前記磁気ストライプを検出する前の前記検出信号をサンプリングして、所定期間における各サンプリング値の総和を第１パターンとし、前記磁気ヘッドが前記磁気ストライプを検出した後の前記検出信号をサンプリングして、所定期間における各サンプリング値の総和を第２パターンとすることを特徴とする磁気記録媒体読取装置。
【請求項８】
請求項１ないし請求項６のいずれかに記載の磁気記録媒体読取装置において、
前記判定手段は、前記磁気ヘッドが前記磁気ストライプを検出する前の前記検出信号をサンプリングして、複数の所定期間の各期間におけるサンプリング値の総和の平均値を第１パターンとし、前記磁気ヘッドが前記磁気ストライプを検出した後の前記検出信号をサンプリングして、複数の所定期間の各期間におけるサンプリング値の総和の平均値を第２パターンとすることを特徴とする磁気記録媒体読取装置。
【発明の詳細な説明】
【技術分野】
【０００１】
本発明は、磁気記録媒体に記録されたデータを読み取る装置に関し、特に、データの不正取得を防止する機能を備えた磁気記録媒体読取装置に関する。
【背景技術】
【０００２】
ＡＴＭ（Automated  Teller  Machine：現金自動預け払機）やＣＤ（Cash  Dispenser：現金自動支払機）などの取引処理装置には、磁気カードを読み取るカードリーダが搭載されている。このような取引処理装置において、最近では、磁気カードがカードリーダに挿入される際に、カードの磁気ストライプに記録されたデータを不正に取得するスキミングと呼ばれる犯罪が発生している。【０００３】
スキミングの類型には、大別して２種類がある。その１つは、磁気ヘッドを備えた不正読取装置を、ＡＴＭやＣＤに備わるカードリーダのカード挿入口に被せるように設置し、この不正読取装置の磁気ヘッドにより、カードリーダに挿入される磁気カードのデータを不正に取得するものである（以下、「第１類型」という）。もう１つは、カード挿入口付近に設置された磁気ストライプ検出用の磁気ヘッドを含む磁気ストライプ検出部に、不正読取装置をリード線で接続し、磁気ストライプ検出部から出力される信号（磁気ヘッドが読み取ったデータ）を、リード線を介して不正に取得するものである（以下、「第２類型」という）。【０００４】
上記のようなスキミングに対しては、これまでにも種々の対策が提案されている。例えば、後掲の特許文献１には、カード挿入口の近傍に妨害磁界発生器を設けたカードリーダが記載されている。このカードリーダにおいては、妨害磁界発生器により、カード挿入口の外側領域に妨害磁界が発生する。このため、カード挿入口の外側に不正読取装置が取り付けられたとしても、当該装置で読み取ったデータは、妨害磁界の影響を受けて、カードに記録された元のデータとは異なるデータとなる。これにより、カードのデータが不正に取得されるのを防止することができる。【０００５】
また、後掲の特許文献２には、カード挿入口の周囲に、妨害磁界を発生させるためのループアンテナを配設したカードリーダが記載されている。ループアンテナのアンテナ面は、カード挿入口の前面と平行になっている。このカードリーダにおいても、カード挿入口の外側領域に妨害磁界が発生するので、カード挿入口の外側に不正読取装置が取り付けられたとしても、カードのデータが不正に取得されるのを防止することができる。【０００６】
また、後掲の特許文献３には、カードの磁気ストライプを検出するためのプリヘッドをカード挿入口の近傍に配置し、このプリヘッドから、磁気ストライプに記録された磁気情報とは異なる信号を出力するようにしたカードリーダが記載されている。このカードリーダでは、プリヘッドにリード線を介して不正読取装置が取り付けられても、プリヘッドから出力される信号は、カードに記録された情報と異なる信号であるので、カードのデータが不正に取得されるのを防止することができる。
【先行技術文献】
【特許文献】
【０００７】
【特許文献１】特開２００１−６７５２４号公報
【特許文献２】特許第４４２５６７４号公報
【特許文献３】特開２０１０−２０５１８７号公報
【発明の概要】
【発明が解決しようとする課題】
【０００８】
特許文献１に記載されたカードリーダは、カード挿入口の外側領域に妨害磁界が発生するので、不正読取装置をカード挿入口の外側に取り付ける第１類型のスキミングに対して有効である。しかしながら、このカードリーダでは、磁気ストライプ検出部にリード線を介して不正読取装置を取り付ける第２類型のスキミングが行われた場合は、データが不正に取得されるおそれがある。【０００９】
特許文献２に記載されたカードリーダも、カード挿入口の外側領域に妨害磁界が発生するので、第１類型のスキミングに対して有効である。しかしながら、このカードリーダでは、第２類型のスキミングの対策については考慮されていない。【００１０】
特許文献３のカードリーダは、プリヘッドから出力される信号がカードの記録情報と異なる信号であるので、第２類型のスキミングに対して有効である。しかしながら、このカードリーダでは、プリヘッドのヘッド部で読み取った信号を、それとは異なる信号に変換するための信号変換手段が必要となり、構成が複雑となる。また、第１類型のスキミングに対しては、対策が施されておらず、カード挿入口の外側に取り付けられた不正読取装置によって、データが不正に取得されるおそれがある。【００１１】
そこで、本発明の目的は、第１類型のスキミングに対しても、第２類型のスキミングに対しても、データの不正取得を有効に防止できる磁気記録媒体読取装置を提供することにある。
【課題を解決するための手段】
【００１２】
本発明に係る磁気記録媒体読取装置は、磁気記録媒体が挿入される挿入口と、磁気記録媒体の磁気ストライプを検出するための磁気ヘッドを含む磁気ストライプ検出部と、磁気記録媒体の磁気ストライプに記録されたデータの読み取りを妨げるための妨害磁界を発生する磁界発生部と、磁気ストライプ検出部から出力される検出信号に基づいて、磁気ストライプにデータが記録されている磁気記録媒体が挿入されたか否かを判定する判定手段とを備える。磁界発生部は、挿入口付近に設けられていて、常時、妨害磁界を挿入口の前方と後方に作用させる。判定手段は、磁気ヘッドが磁気ストライプを検出する前の検出信号の第１パターンと、磁気ヘッドが磁気ストライプを検出した後の検出信号の第２パターンとを比較し、第２パターンが第１パターンと異なる場合に、磁気ストライプにデータが記録されている磁気記録媒体が挿入されたと判定する。【００１３】
このようにすれば、挿入口付近に設けられた磁界発生部から妨害磁界が常時発生しているので、磁気ヘッドを備えた不正読取装置が挿入口に取り付けられても、当該磁気ヘッドに必ず妨害磁界が作用することになる。このため、不正読取装置による磁気データの不正取得が不可能となり、第１類型のスキミングを未然に防止することができる。また、磁界発生部から発生する妨害磁界は、磁気ストライプ検出用の磁気ヘッドにも常時作用する。このため、磁気ストライプ検出部にリード線を接続しても、磁気データを取得することは不可能であり、第２類型のスキミングも有効に防止することができる。一方、妨害磁界が磁気ストライプ検出用の磁気ヘッドに作用することで、当該磁気ヘッドから正規の磁気ストライプ検出信号が得られなくなるが、本発明では、磁気ストライプ検出前の検出信号のパターンと、磁気ストライプ検出後の検出信号のパターンとが異なることを利用して、磁気記録媒体におけるデータの有無を支障なく検出することができる。【００１４】
本発明において、第１パターンは、あらかじめメモリに記憶されていてもよい。この場合、判定手段は、メモリから読み出した第１パターンと、磁気ストライプ検出部から出力される検出信号の第２パターンとを比較する。【００１５】
本発明において、磁気ヘッドが磁気ストライプを検出する前に、挿入口から挿入される磁気記録媒体を検知する検知手段を設け、判定手段は、検知手段が磁気記録媒体を検知した時点から遡った一定期間における第１パターンと、磁気ストライプ検出部から出力される検出信号の第２パターンとを比較するようにしてもよい。この場合の一定期間は、検知手段が磁気記録媒体を検知する直前の期間であってもよい。【００１６】
また、上記に代えて、判定手段は、検知手段が磁気記録媒体を検知した時点以後の一定期間における第１パターンと、磁気ストライプ検出部から出力される検出信号の第２パターンとを比較するようにしてもよい。この場合の一定期間は、検知手段が磁気記録媒体を検知した直後の期間であってもよい。【００１７】
本発明において、判定手段は、磁気ヘッドが磁気ストライプを検出する前の検出信号をサンプリングして、所定期間における各サンプリング値の総和を第１パターンとし、磁気ヘッドが磁気ストライプを検出した後の検出信号をサンプリングして、所定期間における各サンプリング値の総和を第２パターンとするようにしてもよい。【００１８】
本発明において、判定手段は、磁気ヘッドが磁気ストライプを検出する前の検出信号をサンプリングして、複数の所定期間の各期間におけるサンプリング値の総和の平均値を第１パターンとし、磁気ヘッドが磁気ストライプを検出した後の検出信号をサンプリングして、複数の所定期間の各期間におけるサンプリング値の総和の平均値を第２パターンとするようにしてもよい。
【発明の効果】
【００１９】
本発明によれば、磁界発生部が妨害磁界を常時発生するので、挿入口に不正読取装置を取り付ける第１類型のスキミングと、磁気ストライプ検出部にリード線を介して不正読取装置を取り付ける第２類型のスキミングのいずれに対しても、データの不正取得を有効に防止することができる。また、妨害磁界が磁気ストライプ検出用の磁気ヘッドに作用しても、磁気ストライプの検出前後で検出信号のパターンが異なることを利用して、磁気記録媒体におけるデータの有無を支障なく検出することができる。
【図面の簡単な説明】
【００２０】
【図１】図１は、本発明の実施形態に係るカードリーダの電気的構成を示したブロック図である。
【図２】図２は、同カードリーダの側面断面図および正面図である。
【図３】図３は、ループアンテナの他の例を示した正面図である。
【図４】図４は、磁気カードの平面図である。
【図５】図５は、第１実施形態を説明するための波形図である。
【図６】図６は、基準パターンの波形を示した図である。
【図７】図７は、第１実施形態におけるカード挿入時の動作を示したフローチャートである。
【図８】図８は、第１実施形態におけるカード返却時の動作を示したフローチャートである。
【図９】図９は、第２実施形態を説明するための波形図である。
【図１０】図１０は、カード挿入検出のタイミングと磁気ストライプ検出のタイミングを説明する平面図である。
【図１１】図１１は、第２実施形態におけるカード挿入時の動作を示したフローチャートである。
【図１２】図１２は、第３実施形態を説明するための波形図である。
【図１３】図１３は、第３実施形態におけるカード挿入時の動作を示したフローチャートである。
【図１４】図１４は、第４実施形態を説明するための波形図である。
【図１５】図１５は、第４実施形態におけるカード挿入時の動作を示したフローチャートである。
【図１６】図１６は、第５実施形態を説明するための波形図である。
【図１７】図１７は、第５実施形態におけるカード挿入時の動作を示したフローチャートである。
【発明を実施するための形態】
【００２１】
以下、本発明の実施形態について、図面を参照しながら説明する。各図において、同一符号は、同一部分または対応部分を表している。
【００２２】
（第１実施形態）
まず、図１および図２を参照して、第１実施形態によるカードリーダの構成について説明する。
【００２３】
図１に示すように、本実施形態によるカードリーダ１は、装置全体の動作を制御するＣＰＵからなる制御部２と、磁気カードに記録されている磁気データを読み取る磁気情報読取部３と、磁気カードを搬送するカード搬送部４と、磁気カードを検出するカード検出センサ５と、磁気情報読取部３で読み取った磁気データを記憶するメモリ６と、上位装置（例えばＡＴＭ）との接続部であるホストインターフェース７と、磁気カードの磁気ストライプを検出する磁気ストライプ検出部１０と、磁気ストライプに記録されたデータの読み取りを妨げるための妨害磁界を発生する磁界発生部８とを備えている。制御部２は、本発明における「判定手段」の一例である。
【００２４】
制御部２は、磁界発生部８を制御する磁界制御部９と、カード搬送部４を制御するカード搬送制御部１２とを含む。磁気ストライプ検出部１０および磁界発生部８は、カード挿入口ユニット２４内に設置されている。磁気ストライプ検出部１０は、後述する磁気ヘッド３４（図２）を含む。また、磁界発生部８は、後述するループアンテナ３５（図２）を含む。
【００２５】
図２（ａ）に示すように、カードリーダ１の筐体１００の前面には、カード挿入口ユニット２４が設けられている。カード挿入口ユニット２４には、磁気カード（以下、単に「カード」という。）２１が挿入される挿入口２２が形成されている。カード２１は、図４に示すように、磁気ストライプ２１ａを有している。図４は、カード２１を裏面から見た図である。挿入口２２の近くには、挿入されたカード２１を検出するカード挿入検出センサ２３が設けられている。このカード挿入検出センサ２３は、例えばマイクロスイッチからなり、挿入口２２から挿入されたカード２１によって押圧される位置に配置されている。カード挿入検出センサ２３は、本発明における「検知手段」の一例である。また、挿入口２２の近くには、磁気ストライプ検出用の磁気ヘッド３４が設けられている。この磁気ヘッド３４は、カード２１の磁気ストライプ２１ａを検出する。
【００２６】
カードリーダ１の筐体１００の内部には、搬送ローラ２５〜２８、カード位置検出センサ３０〜３３、磁気ヘッド２９が設けられている。搬送ローラ２５〜２８は、それぞれ搬送路Ｐを挟んで１対設けられており、１対のローラでカード２１を挟持して搬送する。これらの搬送ローラ２５〜２８は、搬送ベルト（図示省略）を介して、モータ（図示省略）に連結されている。１対の搬送ローラのうち、一方はモータの回転力が伝達される駆動ローラであり、他方はこの駆動ローラに従動して回転する従動ローラである。搬送ローラ２５〜２８は、上記の搬送ベルトおよびモータとともに、カード搬送部４（図１）を構成する。
【００２７】
カード位置検出センサ３０〜３３は、透過型の光センサであり、それぞれ、搬送路Ｐを挟んで対向する発光部と受光部を有している。これらのセンサ３０〜３３の配置間隔は、磁気カード２１の搬送方向の長さよりも短くなっている。センサ３０は、挿入口２２に最も近い搬送ローラ２５にカード２１が挟持されたことを検出する。センサ３３は、挿入されたカード２１が、カードを一時的に貯留する貯留部（図示省略）に達したことを検出する。センサ３１、３２は、搬送中のカード２１の位置を検出する。これらのカード位置検出センサ３０〜３３は、前記のカード挿入検出センサ２３とともに、カード検出センサ５（図１）を構成する。
【００２８】
磁気ヘッド２９は、搬送ローラ２６と搬送ローラ２７との間で、搬送路Ｐの下側に設けられている。この磁気ヘッド２９は、挿入されたカード２１が搬送路Ｐを搬送される過程で、カード２１の磁気ストライプ２１ａに記録されているデータを読み取る。前述の磁気ヘッド３４が、磁気ストライプに記録されているデータの有無を検出するための磁気ヘッドであるのに対し、磁気ヘッド２９は、磁気ストライプに記録されているデータそのものを再生するための磁気ヘッドである。磁気ヘッド２９とセンサ３３との間隔は、カード２１の搬送方向の長さよりも少し長くなっている。したがって、カード２１が貯留部に達した際、すなわち、カード２１の先端がセンサ３３の位置に達した際には、磁気ヘッド２９は、カード２１に記録されているデータの読み取りを完了している。
【００２９】
カード挿入口ユニット２４の前面近傍には、ループアンテナ３５が設けられている。図２（ａ）からわかるように、ループアンテナ３５は、挿入口２２付近において、カード２１の挿入方向Ａに対して、磁気ストライプ検出用の磁気ヘッド３４よりも挿入口２２側に設けられている。このループアンテナ３５は、導体を１回または複数回ループ状に巻いたアンテナであり、図２（ｂ）に示すように、挿入口２２を囲むように配置される。
【００３０】
磁界制御部９の制御に基づき、磁界発生部８においてループアンテナ３５に駆動電流が流れると、ループアンテナ３５は、挿入口２２付近に磁界を発生させる。本発明では、ループアンテナ３５に継続して駆動電流を流すことで、ループアンテナ３５は常時磁界を発生している。この磁界は、挿入口２２の前方に妨害磁界として作用し、挿入口２２の前方に不正読取装置（図示省略）が取り付けられた場合に、当該装置による磁気情報の読み取りを妨害する。また、この磁界は、挿入口２２の後方にある磁気ストライプ検出用の磁気ヘッド３４にも妨害磁界として作用し、磁気ヘッド３４における磁気情報の不正な読み取りを妨害する。
【００３１】
なお、図２（ｂ）に示したループアンテナ３５に代えて、図３（ａ）に示すように、２つの独立したループアンテナ３５ａ，３５ｂを、挿入口２２の両側に配置してもよい。あるいは、図３（ｂ）に示すように、１つのループアンテナ３５ｃを、磁気ストライプ検出用の磁気ヘッド３４（図２（ａ））付近にのみ配置してもよい。
【００３２】
次に、第１実施形態におけるスキミング対策について説明する。図５（ａ）は、ループアンテナ３５に流れる駆動電流の波形である。ループアンテナ３５からは、この駆動電流に応じた妨害磁界が発生する。図５（ｂ）は、妨害磁界が存在しない場合に、磁気ストライプ検出部１０から出力される検出信号の波形である。磁気ヘッド３４が磁気ストライプ２１ａ（図４）を検出した時刻ｔ以後に、磁気ストライプ検出部１０は、磁気ヘッド３４が磁気ストライプ２１ａから読み取った磁気データに基づき、図のようなパルス状の検出信号を出力する。図５（ｃ）は、妨害磁界が存在する場合に、磁気ストライプ検出部１０から出力される検出信号の波形である。時刻ｔより前においては、磁気ヘッド３４に妨害磁界のみが作用するため、検出信号の波形は、図５（ａ）の妨害磁界に対応した波形となる。時刻ｔより後においては、磁気ヘッド３４に妨害磁界と、磁気ストライプ２１ａの磁気データによる磁界とが作用するため、検出信号の波形は、図５（ａ）と図５（ｂ）とを合成した波形となる。
【００３３】
本実施形態では、図５（ａ）のように、ループアンテナ３５から妨害磁界が常時発生している。しかも、この妨害磁界は、挿入口２２の前方と後方に作用する。したがって、磁気ヘッドを備えた不正読取装置が挿入口２２の前方に取り付けられても、当該磁気ヘッドに必ず妨害磁界が作用することになる。このため、妨害磁界の休止期間を利用してカード２１の磁気データを不正に取得することが不可能となり、第１類型のスキミングを未然に防止することができる。また、妨害磁界は、磁気ヘッド３４にも常時作用するので、磁気ヘッド３４からリード線を介して磁気データを不正に取得することも不可能となる。このため、第２類型のスキミングも有効に防止することができる。
【００３４】
一方、ループアンテナ３５から発生する妨害磁界が、磁気ヘッド３４に常時作用することから、磁気ヘッド３４が磁気ストライプ２１ａを読み取る際に、磁気ヘッド３４から、図５（ｂ）の右側に示した正規の磁気ストライプ検出信号が得られなくなる。しかるに、磁気ヘッド３４は、磁気ストライプ２１ａにおける磁気データの有無を検出できればよく、磁気データそのものを再生する必要はない。そこで、本実施形態では、磁気ストライプ検出前の検出信号のパターンと、磁気ストライプ検出後の検出信号のパターンとが異なることを利用して、磁気ストライプ２１ａにおける磁気データの有無を検出する。以下、これについて説明する。
【００３５】
図５（ｃ）からわかるように、磁気ヘッド３４が磁気ストライプ２１ａを検出する前（時刻ｔ以前）の検出信号のパターン（以下、「第１パターン」という。）と、磁気ヘッド３４が磁気ストライプ２１ａを検出した後（時刻ｔ以後）の検出信号のパターン（以下、「第２パターン」という。）とを比較した場合、両パターンは異なっている。すなわち、磁気ストライプ２１ａにデータが記録されているカード２１が挿入された場合、磁気ヘッド３４がデータを読み取ることにより、検出信号のパターンが、第１パターンから第２パターンへ変化する。一方、磁気ストライプ２１ａにデータが記録されていないカード２１が挿入された場合は、図５（ｂ）の信号が発生しないので、検出信号のパターンは第１パターンのままで変化しない。以上のことから、第１パターンと第２パターンとを比較することで、磁気ストライプ２１ａにおけるデータの有無を検出することができ、これによって、磁気ストライプ２１ａにデータが記録されているカード２１が挿入されたか否かの判定が可能となる。
【００３６】
ところで、第１実施形態では、上記の第１パターンは、図６に示したような基準パターンとして、あらかじめメモリ６（図１）に記憶されている。そして、図５（ｃ）の時刻ｔ以後において、磁気ストライプ検出部１０から出力される検出信号を解析して、当該検出信号のパターン（第２パターン）と基準パターンとの照合を行い、検出信号のパターンが基準パターンと一致するか否かの検証を行う。パターンの照合は、例えば、それぞれのパターンのサンプリング値を逐次比較することによって行うことができる。
【００３７】
このようにして、第１実施形態においては、ループアンテナ３５が常時発生する妨害磁界により、第１類型のスキミングと第２類型のスキミングのいずれに対しても、カード２１のデータの不正取得を有効に防止することができる。また、妨害磁界が磁気ヘッド３４に作用しても、磁気ストライプ２１ａの検出前後で検出信号のパターンが異なることを利用して、カード２１におけるデータの有無を支障なく検出することができる。
【００３８】
図７は、第１実施形態におけるカード挿入時の動作を表したフローチャートである。以下、このフローチャートに基づいて、カード２１の取り込みおよび読み取りを行う場合の手順を詳細に説明する。各ステップの処理は、制御部２によって実行される。
【００３９】
ステップＳ１では、メモリ６から第１パターン（図６の基準パターン）が読み出される。ステップＳ２では、カード挿入検出センサ２３がカード２１の挿入を検出したか否かが判定される。カード２１の挿入が検出されなければ（ステップＳ２；ＮＯ）、ステップＳ２を繰り返し実行して、カード２１の挿入が検出されるまで待機する。カード２１の挿入が検出されると（ステップＳ２；ＹＥＳ）、ステップＳ３へ進む。
【００４０】
ステップＳ３では、磁気ストライプ検出部１０の検出信号から第２パターンを抽出し、ステップＳ１で読み出した第１パターン（基準パターン）と比較する。そして、ステップＳ４で、第２パターンが第１パターンと異なるか否かを判定する。
【００４１】
ステップＳ４での判定の結果、第２パターンが第１パターンと異なる場合は（ステップＳ４；ＹＥＳ）、磁気ストライプ２１ａに「データ有」なので、磁気ストライプ２１ａにデータが記録されているカード２１が挿入されたと判断して、ステップＳ５へ進む。一方、ステップＳ４での判定の結果、第２パターンが第１パターンと同じである場合、つまり第１パターンから変化がない場合は（ステップＳ４；ＮＯ）、磁気ストライプ２１ａに「データ無」なので、磁気ストライプ２１ａにデータが記録されていないカード２１が挿入されたと判断し、カード２１を返却した上でステップＳ２へ戻る。
【００４２】
ステップＳ５では、カード搬送制御部１２により、カード２１の搬送が開始される。このとき、搬送ローラ２５〜２８は、挿入されたカード２１を筐体１００の内部に取り込む方向（以下、「正方向」という。）に回転する。これにより、カード２１は搬送路Ｐを通って、筐体１００内に取り込まれる。カード２１が搬送路Ｐを搬送される過程で、ステップＳ６において、カード２１の磁気ストライプ２１ａに記録されている磁気データが、磁気ヘッド２９により読み取られる。
【００４３】
ステップＳ７では、搬送ローラ２８の隣に配置されたセンサ３３がカード２１の端（図２（ａ）で右端）を検出したか否かが判定される。センサ３３がカード端を検出してなければ（ステップＳ７；ＮＯ）、ステップＳ７を繰り返し実行する。すなわち、カード端が検出されるまで、搬送ローラ２５〜２８を正方向に回転させて、カード２１の搬送を継続する。センサ３３がカード端を検出すると（ステップＳ７；ＹＥＳ）、カード２１が搬送路Ｐの後端へ達したと判断して、ステップＳ８へ進む。
【００４４】
ステップＳ８では、カード搬送制御部１２により搬送ローラ２５〜２８の回転が停止され、カード２１の搬送が停止する。このとき、カード２１は前述した貯留部（図示省略）に一時的に貯留される。以上によって、図７の一連の処理がすべて終了する。
【００４５】
図８は、カード２１の返却を行う場合の手順を示している。各ステップの処理は、制御部２によって実行される。
【００４６】
ステップＳ１１では、カード搬送制御部１２により、カード２１の搬送が開始される。このとき、搬送ローラ２５〜２８は、挿入されたカード２１を貯留部から挿入口２２へ搬送する方向（以下、「逆方向」という。）に回転する。これにより、カード２１は、挿入口２２へ向かって搬送路Ｐを搬送される。
【００４７】
ステップＳ１２では、搬送ローラ２５の隣に配置されたセンサ３０がカード２１の端（図２（ａ）で右端）を検出したか否かが判定される。センサ３０がカード端を検出してなければ（ステップＳ１２；ＮＯ）、ステップＳ１２を繰り返し実行する。すなわち、カード端が検出されるまで、搬送ローラ２５〜２８を逆方向に回転させて、カード２１の搬送を継続する。センサ３０がカード端を検出すると（ステップＳ１２；ＹＥＳ）、搬送されたカード２１が挿入口２２へ返却されたと判断して、ステップＳ１３へ進む。
【００４８】
ステップＳ１３では、カード搬送制御部１２により搬送ローラ２５〜２８の回転が停止され、カード２１の搬送が停止する。このとき、カード２１は、図２（ａ）のように上下の搬送ローラ２５で挟持されており、また、カードの先端部分が挿入口２２から外部に突出している。このため、利用者は、挿入口２２から突出しているカード２１の先端部分を把持して、カード２１を抜き取ることができる。
【００４９】
ステップＳ１４では、カード挿入検出センサ２３がカード２１の抜き取り検出したか否かが判定される。カード挿入検出センサ２３がカードを検出している状態にあるときは、カード２１が抜き取られていないと判断して（ステップＳ１４；ＮＯ）、ステップＳ１４を繰り返し実行し、カード２１が抜き取られるのを待つ。カード挿入検出センサ２３が、カードを検出している状態からカードを検出していない状態に変化すると、カード２１が抜き取られたと判断し（ステップＳ１４；ＹＥＳ）、処理を終了する。以上によって、図８の一連の処理がすべて終了する。
【００５０】
（第２実施形態）
次に、本発明の第２実施形態について説明する。なお、第２実施形態におけるカードリーダの構成については、図１および図２と同じであるので、説明を省略する。
【００５１】
前記の第１実施形態では、第１パターン（基準パターン）は、あらかじめメモリ６に記憶されていた。これに対して、第２実施形態では、実際の検出信号から第１パターンを取得し、これを基準パターンとする。以下、図９を参照して具体的に説明する。
【００５２】
図９の各波形は、図５の各波形と同じものである。図９（ｃ）のｔ１は、カード挿入検出センサ２３がカード２１を検出した時刻、ｔ２は磁気ヘッド３４が磁気ストライプ２１ａを検出した時刻を表している。すなわち、カード２１が図１０（ａ）のようにＡ方向に挿入されてゆくと、図１０（ｂ）のように、まず、カード挿入検出センサ２３（マイクロスイッチ）がカード２１を検出する。この時刻が、図９（ｃ）のｔ１である。その後、カード２１がさらにＡ方向に挿入されてゆくと、図１０（ｃ）のように、磁気ヘッド３４が磁気ストライプ２１ａの読み取りを開始する。この時刻が、図９（ｃ）のｔ２である。
【００５３】
第２実施形態においては、図９（ｃ）に示すように、カード２１が検出された時刻ｔ１の直前の、一定期間の検出信号を基準パターン（第１パターン）として抽出する。抽出された基準パターンは、メモリ６に一時的に記憶される。そして、磁気ストライプ２１ａが検出された時刻ｔ２以後において、磁気ストライプ検出部１０から出力される検出信号を解析して、当該検出信号のパターン（第２パターン）と基準パターンとの照合を行い、検出信号のパターンが基準パターンと一致するか否かの検証を行う。パターンの照合は、例えば、それぞれのパターンのサンプリング値を逐次比較することによって行うことができる。
【００５４】
第２実施形態の場合も、第１実施形態と同様に、ループアンテナ３５が常時発生する妨害磁界により、第１類型のスキミングと第２類型のスキミングのいずれに対しても、カード２１のデータの不正取得を有効に防止することができる。また、妨害磁界が磁気ヘッド３４に作用しても、磁気ストライプ２１ａの検出前後で検出信号のパターンが異なることを利用して、カード２１におけるデータの有無を支障なく検出することができる。
【００５５】
また、第２実施形態では、カード２１が検出された直前の、実際の検出信号から基準パターン（第１パターン）を取得するので、温度や外来ノイズなどの環境変化を反映した基準パターンを生成することができる。このため、第１実施形態のように固定した基準パターンを用いる場合に比べて、基準パターンの精度が上がり、カード２１におけるデータ有無の検出精度が向上する。
【００５６】
図１１は、第２実施形態におけるカード挿入時の動作を表したフローチャートである。各ステップの処理は、制御部２によって実行される。
【００５７】
ステップＳ１ａでは、磁気ストライプ検出部１０の検出信号から、所定期間において第１パターンを抽出し、抽出した第１パターンをメモリ６に記憶する。
【００５８】
ステップＳ２ａでは、カード挿入検出センサ２３がカード２１の挿入を検出したか否かが判定される。カード２１の挿入が検出されなければ（ステップＳ２ａ；ＮＯ）、ステップＳ１ａへ戻り、次の期間において第１パターンの抽出・記憶を行う。この場合、メモリ６では、第１パターンが上書きされて更新される。カード２１の挿入が検出されるまでは、ステップＳ１ａ、Ｓ２ａが繰り返し実行される。そして、カード２１の挿入が検出されると（ステップＳ２ａ；ＹＥＳ）、ステップＳ３ａへ進む。
【００５９】
ステップＳ３ａでは、磁気ストライプ検出部１０の検出信号から第２パターンを抽出し、メモリ６に記憶されているカード検出直前の第１パターン（基準パターン）と比較する。そして、ステップＳ４ａで、第２パターンが第１パターンと異なるか否かを判定する。
【００６０】
ステップＳ４ａでの判定の結果、第２パターンが第１パターンと異なる場合には（ステップＳ４ａ；ＹＥＳ）、磁気ストライプ２１ａに「データ有」なので、磁気ストライプ２１ａにデータが記録されているカード２１が挿入されたと判断して、ステップＳ５へ進む。一方、ステップＳ４ａでの判定の結果、第２パターンが第１パターンと同じである場合、つまり第１パターンから変化がない場合には（ステップＳ４ａ；ＮＯ）、磁気ストライプ２１ａに「データ無」なので、磁気ストライプ２１ａにデータが記録されていないカード２１が挿入されたと判断し、カード２１を返却した上でステップＳ１ａへ戻る。
【００６１】
ステップＳ５では、カード搬送制御部１２により、カード２１の搬送が開始される。ステップＳ５〜Ｓ８の手順については、図７におけるステップＳ５〜Ｓ８の手順と同じであるので、説明を省略する。また、カード２１の返却を行う場合の手順については、図８の手順と同じであるので、これについても説明を省略する。
【００６２】
上述した第２実施形態では、図９（ｃ）に示したように、カード検出直前の一定期間における検出信号を基準パターン（第１パターン）として抽出した。これに代えて、カード検出直前の一定期間より前の期間における検出信号を基準パターンとして抽出してもよい。また、１つの期間から基準パターンを抽出するのではなく、複数の期間から抽出したパターンを平均したものを基準パターンとしてもよい。要は、カード検出時点から遡った任意の一定期間におけるパターンに基づいて、基準パターンを設定すればよい。さらに、一定期間に含まれる信号の全部ではなく一部を用いて、基準パターンを設定してもよい。
【００６３】
（第３実施形態）
次に、本発明の第３実施形態について説明する。なお、第３実施形態におけるカードリーダの構成については、図１および図２と同じであるので、説明を省略する。
【００６４】
第３実施形態では、第２実施形態と同様に、実際の検出信号から第１パターンを取得し、これを基準パターンとする。但し、第２実施形態の場合は、カード検出直前の一定期間の検出信号を基準パターンとしたのに対し、第３実施形態の場合は、図１２（ｃ）に示すように、カード２１が検出された時刻ｔ１の直後の、一定期間の検出信号を基準パターン（第１パターン）として抽出する。
【００６５】
抽出された基準パターンは、メモリ６に一時的に記憶される。そして、磁気ストライプ２１ａが検出された時刻ｔ２以後において、磁気ストライプ検出部１０から出力される検出信号を解析して、当該検出信号のパターン（第２パターン）と基準パターンとの照合を行い、検出信号のパターンが基準パターンと一致するか否かの検証を行う。パターンの照合は、例えば、それぞれのパターンのサンプリング値を逐次比較することによって行うことができる。
【００６６】
第３実施形態の場合も、第１実施形態と同様に、ループアンテナ３５が常時発生する妨害磁界により、第１類型のスキミングと第２類型のスキミングのいずれに対しても、カード２１のデータの不正取得を有効に防止することができる。また、妨害磁界が磁気ヘッド３４に作用しても、磁気ストライプ２１ａの検出前後で検出信号のパターンが異なることを利用して、カード２１におけるデータの有無を支障なく検出することができる。
【００６７】
また、第３実施形態では、カード２１が検出された直後の、実際の検出信号から基準パターン（第１パターン）を取得するので、温度や外来ノイズなどの環境変化を反映した基準パターンを生成することができる。このため、第２実施形態と同様に、基準パターンの精度が上がり、カード２１におけるデータ有無の検出精度が向上する。
【００６８】
図１３は、第３実施形態におけるカード挿入時の動作を表したフローチャートである。各ステップの処理は、制御部２によって実行される。
【００６９】
ステップＳ１ｂでは、カード挿入検出センサ２３がカード２１の挿入を検出したか否かが判定される。カード２１の挿入が検出されなければ（ステップＳ１ｂ；ＮＯ）、ステップＳ１ｂを繰り返し実行して、カード２１の挿入が検出されるまで待機する。カード２１の挿入が検出されると（ステップＳ１ｂ；ＹＥＳ）、ステップＳ２ｂへ進む。
【００７０】
ステップＳ２ｂでは、磁気ストライプ検出部１０の検出信号から、カード検出直後の所定期間における第１パターンを抽出し、これを基準パターンとしてメモリ６に記憶する。
【００７１】
ステップＳ３ｂでは、磁気ストライプ検出後に、磁気ストライプ検出部１０の検出信号から第２パターンを抽出し、メモリ６に記憶されている第１パターン（基準パターン）と比較する。そして、ステップＳ４ｂで、第２パターンが第１パターンと異なるか否かを判定する。
【００７２】
ステップＳ４ｂでの判定の結果、第２パターンが第１パターンと異なる場合には（ステップＳ４ｂ；ＹＥＳ）、磁気ストライプ２１ａに「データ有」なので、磁気ストライプ２１ａにデータが記録されているカード２１が挿入されたと判断して、ステップＳ５へ進む。一方、ステップＳ４ｂでの判定の結果、第２パターンが第１パターンと同じである場合、つまり第１パターンから変化がない場合には（ステップＳ４ｂ；ＮＯ）、磁気ストライプ２１ａに「データ無」なので、磁気ストライプ２１ａにデータが記録されていないカード２１が挿入されたと判断し、カード２１を返却した上でステップＳ１ｂへ戻る。
【００７３】
ステップＳ５では、カード搬送制御部１２により、カード２１の搬送が開始される。ステップＳ５〜Ｓ８の手順については、図７におけるステップＳ５〜Ｓ８の手順と同じであるので、説明を省略する。また、カード２１の返却を行う場合の手順については、図８の手順と同じであるので、これについても説明を省略する。
【００７４】
上述した第３実施形態では、図１２（ｃ）に示したように、カード検出直後の一定期間における検出信号を基準パターン（第１パターン）として抽出した。これに代えて、カード検出時刻ｔ１から磁気ストライプ検出時刻ｔ２までに余裕がある場合は、ｔ１〜ｔ２の間において、カード検出直後の一定期間より後の期間における検出信号を基準パターンとして抽出してもよい。また、１つの期間から基準パターンを抽出するのではなく、複数の期間から抽出したパターンを平均したものを基準パターンとしてもよい。要は、カード検出時点以後の任意の一定期間におけるパターンに基づいて、基準パターンを設定すればよい。さらに、一定期間に含まれる信号の全部ではなく一部を用いて、基準パターンを設定してもよい。
【００７５】
（第４実施形態）
次に、本発明の第４実施形態について説明する。なお、第４実施形態におけるカードリーダの構成については、図１および図２と同じであるので、説明を省略する。
【００７６】
前記の第１ないし第３実施形態では、第１パターン（基準パターン）と第２パターンとの照合を、検出信号の波形同士を比較することにより行った。これに対して、第４実施形態では、検出信号の所定期間におけるサンプリング値の総和を比較することで照合を行う。以下、図１４を参照して具体的に説明する。
【００７７】
図１４（ａ）の波形は、図９（ｃ）の波形と同じものである。  図１４（ｂ）は、図１４（ａ）の期間Ｔ１におけるサンプリングの様子を模式的に示した図である。第４実施形態においては、磁気ストライプ検出前の検出信号をサンプリングし、所定期間Ｔ１におけるサンプリング値の総和を算出する。そして、この総和を第１パターンとしてメモリ６に記憶する。また、磁気ストライプ検出時刻ｔ２より後の検出信号をサンプリングし（図示省略）、所定期間Ｔ２におけるサンプリング値の総和を算出する。そして、この総和を第２パターンとする。
【００７８】
図１４（ａ）では、期間Ｔ１は、カード検出時刻ｔ１の直前の期間となっているが、それより前の期間であってもよい。また、期間Ｔ２も、磁気ストライプ検出時刻ｔ２の直後の期間であってもよく、図示の期間より後の期間であってもよい。なお、期間Ｔ１のスタート時点と、期間Ｔ２のスタート時点とは、同期がとれている。
【００７９】
前述したように、磁気ストライプ２１ａにデータが記録されているカード２１が挿入された場合は、磁気ストライプ検出前の検出信号のパターンと、磁気ストライプ検出後の検出信号のパターンとが異なるので、期間Ｔ１と期間Ｔ２における各検出信号のサンプリング値の総和も異なったものとなる。したがって、それぞれの総和を第１パターンおよび第２パターンとし、これらを比較することで、磁気ストライプ２１ａにおけるデータの有無を検出することができる。
【００８０】
第４実施形態の場合も、第１実施形態と同様に、ループアンテナ３５が常時発生する妨害磁界により、第１類型のスキミングと第２類型のスキミングのいずれに対しても、カード２１のデータの不正取得を有効に防止することができる。また、妨害磁界が磁気ヘッド３４に作用しても、磁気ストライプ２１ａの検出前後で検出信号のサンプリング値の総和が異なることを利用して、カード２１におけるデータの有無を支障なく検出することができる。
【００８１】
図１５は、第４実施形態におけるカード挿入時の動作を表したフローチャートである。各ステップの処理は、制御部２によって実行される。
【００８２】
ステップＳ１ｃでは、磁気ストライプ検出部１０の検出信号から、第１パターン（所定期間におけるサンプリング値の総和）を演算し、メモリ６に記憶する。
【００８３】
ステップＳ２ｃでは、カード挿入検出センサ２３がカード２１の挿入を検出したか否かが判定される。カード２１の挿入が検出されなければ（ステップＳ２ｃ；ＮＯ）、ステップＳ１ｃへ戻り、次の期間における第１パターンの演算・記憶を行う。この場合、メモリ６では、第１パターンが上書きされて更新される。カード２１の挿入が検出されるまでは、ステップＳ１ｃ、Ｓ２ｃが繰り返し実行される。そして、カード２１の挿入が検出されると（ステップＳ２ｃ；ＹＥＳ）、ステップＳ３ｃへ進む。
【００８４】
ステップＳ３ｃでは、磁気ストライプの検出後に、磁気ストライプ検出部１０の検出信号から、期間Ｔ２における第２パターン（サンプリング値の総和）を演算し、メモリ６に記憶されている基準パターン、すなわちカード検出直前の期間Ｔ１における第１パターン（サンプリング値の総和）と比較する。続いて、ステップＳ４ｃで、第２パターンが第１パターンと異なるか否かを判定する。
【００８５】
ステップＳ４ｃでの判定の結果、第２パターンが第１パターンと異なる場合には（ステップＳ４ｃ；ＹＥＳ）、磁気ストライプ２１ａに「データ有」なので、磁気ストライプ２１ａにデータが記録されているカード２１が挿入されたと判断して、ステップＳ５へ進む。一方、ステップＳ４ｃでの判定の結果、第２パターンが第１パターンと同じである場合、つまり第１パターンから変化がない場合には（ステップＳ４ｃ；ＮＯ）、磁気ストライプ２１ａに「データ無」なので、磁気ストライプ２１ａにデータが記録されていないカード２１が挿入されたと判断し、カード２１を返却した上でステップＳ１ｃへ戻る。
【００８６】
ステップＳ５では、カード搬送制御部１２により、カード２１の搬送が開始される。ステップＳ５〜Ｓ８の手順については、図７におけるステップＳ５〜Ｓ８の手順と同じであるので、説明を省略する。また、カード２１の返却を行う場合の手順については、図８の手順と同じであるので、これについても説明を省略する。
【００８７】
（第５実施形態）
次に、本発明の第５実施形態について説明する。なお、第５実施形態におけるカードリーダの構成については、図１および図２と同じであるので、説明を省略する。
【００８８】
第５実施形態では、第４実施形態と同様に、検出信号の所定期間におけるサンプリング値の総和を比較することで照合を行う。但し、第４実施形態の場合は、カード検出直前の所定期間Ｔ１におけるサンプリング値の総和を基準パターンとしたのに対し、第５実施形態の場合は、図１６に示すように、カード検出直後の所定期間Ｔ１’におけるサンプリング値の総和を基準パターンとする。第５実施形態におけるパターンの照合に関しては、第４実施形態と実質的に同じであるので、詳細な説明は省略する。
【００８９】
第５実施形態の場合も、第１実施形態と同様に、ループアンテナ３５が常時発生する妨害磁界により、第１類型のスキミングと第２類型のスキミングのいずれに対しても、カード２１のデータの不正取得を有効に防止することができる。また、妨害磁界が磁気ヘッド３４に作用しても、磁気ストライプ２１ａの検出前後で検出信号のサンプリング値の総和が異なることを利用して、カード２１におけるデータの有無を支障なく検出することができる。
【００９０】
図１７は、第５実施形態におけるカード挿入時の動作を表したフローチャートである。各ステップの処理は、制御部２によって実行される。
【００９１】
ステップＳ１ｄでは、カード挿入検出センサ２３がカード２１の挿入を検出したか否かが判定される。カード２１の挿入が検出されなければ（ステップＳ１ｄ；ＮＯ）、ステップＳ１ｄを繰り返し実行し、カード２１が挿入されるまで待機する。そして、カード２１の挿入が検出されると（ステップＳ１ｄ；ＹＥＳ）、ステップＳ２ｄへ進む。
【００９２】
ステップＳ２ｄでは、磁気ストライプ検出部１０の検出信号から、カード検出直後の期間Ｔ１’における第１パターン（サンプリング値の総和）を演算し、これを基準パターンとしてメモリ６に記憶する。
【００９３】
ステップＳ３ｄでは、磁気ストライプの検出後に、磁気ストライプ検出部１０の検出信号から、期間Ｔ２における第２パターン（サンプリング値の総和）を演算し、メモリ６に記憶されている基準パターン、すなわち期間Ｔ１’における第１パターン（サンプリング値の総和）と比較する。続いて、ステップＳ４ｄで、第２パターンが第１パターンと異なるか否かを判定する。
【００９４】
ステップＳ４ｄでの判定の結果、第２パターンが第１パターンと異なる場合には（ステップＳ４ｄ；ＹＥＳ）、磁気ストライプ２１ａに「データ有」なので、磁気ストライプ２１ａにデータが記録されているカード２１が挿入されたと判断して、ステップＳ５へ進む。一方、ステップＳ４ｄでの判定の結果、第２パターンが第１パターンと同じである場合、つまり第１パターンから変化がない場合には（ステップＳ４ｄ；ＮＯ）、磁気ストライプ２１ａに「データ無」なので、磁気ストライプ２１ａにデータが記録されていないカード２１が挿入されたと判断し、カード２１を返却した上でステップＳ１ｄへ戻る。
【００９５】
ステップＳ５では、カード搬送制御部１２により、カード２１の搬送が開始される。ステップＳ５〜Ｓ８の手順については、図７におけるステップＳ５〜Ｓ８の手順と同じであるので、説明を省略する。また、カード２１の返却を行う場合の手順については、図８の手順と同じであるので、これについても説明を省略する。
【００９６】
上述した第４実施形態と第５実施形態においては、１つの期間におけるサンプリング値の総和を求めたが、複数の期間のそれぞれについてサンプリング値の総和を求め、それらの平均値を求めてもよい。この場合は、磁気ストライプ検出前の検出信号をサンプリングして、複数の所定期間の各期間におけるサンプリング値の総和の平均値を第１パターンとし、磁気ストライプ検出後の検出信号をサンプリングして、複数の所定期間の各期間におけるサンプリング値の総和の平均値を第２パターンとすればよい。このようにすれば、ノイズ等の影響を受けにくくなって、各パターンの精度が向上する。さらに、一定期間に含まれる信号の全部ではなく一部を用いて、サンプリング値の総和を求めてもよい。
【００９７】
以上述べた各実施形態においては、カード２１が挿入される場合のスキミング対策について述べたが、ループアンテナ３５から妨害磁界が常時発生していることから、カード２１が返却される場合にも、スキミングを防止することができる。
【００９８】
また、以上の各実施形態においては、磁気ストライプ検出用の磁気ヘッド３４に対するスキミング対策について述べた。一方、カードリーダ１の筐体１００内には、磁気ストライプ２１ａを読み取ってデータを再生するための磁気ヘッド２９が存在する（図２（ａ）参照）。この磁気ヘッド２９に対するスキミング対策としては、例えば、磁気ヘッド２９が読み取ったデータを暗号化するなどの対策がとられる。
【００９９】
また、以上の各実施形態においては、図２や図３のループアンテナを例に挙げたが、ループアンテナはこれらに限定されるものではない。例えば、ループアンテナを３つ以上設けてもよい。この場合は、より強い妨害磁界が発生するので、スキミングを一層効果的に防止することができる。また、複数のループアンテナから、異なる周波数の妨害磁界が発生するようにしてもよい。このようにすると、不正読取装置に作用する妨害磁界が複数の周波数成分を持つことになるので、フィルタリング処理を行っても妨害磁界を取り除くことが困難になり、データの不正取得をより確実に防止することができる。
【０１００】
また、ループアンテナに透磁率の高いフェライトや鉄などの金属のコアを配置することで、磁界に指向性を持たせたり、より強い妨害磁界を発生させたりすることができる。
【０１０１】
また、以上の各実施形態においては、磁気記録媒体として、裏面に磁気ストライプのある磁気カードを例に挙げた。しかしながら、本発明は、磁気ストライプが表面もしくは表裏両面にある磁気カードを扱う磁気記録媒体読取装置にも適用することができる。
【０１０２】
また、以上の各実施形態においては、磁気記録媒体として磁気カードを例に挙げた。しかしながら、本発明は、磁気カードに限らず、磁気ストライプを有する通帳のような磁気記録媒体を読み取る装置にも適用することができる。
【産業上の利用可能性】
【０１０３】
本発明は、ＡＴＭのような自動取引処理装置に搭載されるカードリーダや通帳リーダ、あるいはカード認証端末に搭載されるカードリーダなど、磁気記録媒体を読み取る装置全般に適用することができる。
【符号の説明】
【０１０４】
１      カードリーダ
２      制御部
８      磁界発生部
９      磁界制御部
１０    磁気ストライプ検出部
２１    磁気カード
２１ａ  磁気ストライプ
２２    挿入口
３４    磁気ヘッド
３５    ループアンテナ
【図１】
2013030875.tif 000003
【図２】
2013030875.tif 000004
【図３】
2013030875.tif 000005
【図４】
2013030875.tif 000006
【図５】
2013030875.tif 000007
【図６】
2013030875.tif 000008
【図７】
2013030875.tif 000009
【図８】
2013030875.tif 000010
【図９】
2013030875.tif 000011
【図１０】
2013030875.tif 000012
【図１１】
2013030875.tif 000013
【図１２】
2013030875.tif 000014
【図１３】
2013030875.tif 000015
【図１４】
2013030875.tif 000016
【図１５】
2013030875.tif 000017
【図１６】
2013030875.tif 000018
【図１７】
2013030875.tif 000019
【国際調査報告】
2013030875.tif 000020
2013030875.tif 000021
2013030875.tif 000022
2013030875.tif 000023